(57)【特許請求の範囲】
【請求項１】
脚部と、該脚部上に設けられていてこれに複数の輸液装置を装着可能な一または二以上の支柱と、該支柱に設けられていて液体容器保持可能な液体容器保持部とからなる輸液用スタンドであって、該輸液用スタンドには一または二以上の電源供給用支柱が設けられるかまたは連結可能なものとして備えられ、該電源供給用支柱には複数の該輸液装置に対して同時に電源供給可能な多重電源供給構造として、
複数の輸液装置接続用端子に分岐された構造を備えた電源コードが設けられており、
該電源コードは前記電源供給用支柱内に内蔵されていて、そのうち該複数の輸液装置接続用端子は該電源供給用支柱の外側に露出していて
それぞれ該電源供給用支柱上の異なる箇所から引き出された状態もしくは引き出し可能な状態であることを特徴とする、輸液用スタンド。
【請求項２】
前記複数の分岐された輸液装置接続用端子の態様はプラグであることを特徴とする、請求項１に記載の輸液用スタンド。
【請求項３】
前記複数の分岐された輸液装置接続用端子の態様はコンセントであり、二以上の該コンセントの設けられたタップが一または二以上設けられていることを特徴とする、請求項１に記載の輸液用スタンド。
【請求項４】
前記支柱および電源供給用支柱は相互に連結されているかまたは連結可能に形成されていることを特徴とする、請求項１ないし３のいずれかに記載の輸液用スタンド。
【請求項５】
前記輸液装置を複数横方向に並置して装着することの可能な並置台部が設けられていることを特徴とする、請求項１ないし４のいずれかに記載の輸液用スタンド。
【請求項６】
請求項１ないし５のいずれかに記載の輸液用スタンドに連結可能で、複数の該輸液装置に対して同時に電源供給可能な多重電源供給構造が設けられている、電源供給用支柱。
【発明の詳細な説明】
【技術分野】
【０００１】
本発明は輸液用スタンドおよび電源供給用支柱に係り、特に医療現場において、重症患者等に複数の点滴が必要な場合に、電源ラインによるベッド周辺の煩雑さを有効に解消することのできる、輸液用スタンド等に関するものである。
【背景技術】
【０００２】
特に重症患者等の医療現場において、点滴静脈注射を行う際の利便性と安全性を高める医療機器である輸液ポンプ、シリンジポンプ等は、輸液用スタンド（点滴スタンド）に固定されて使用される。従来の輸液用スタンドは、点滴機器（輸液ポンプ、シリンジポンプ）の固定と移動が主な目的であり、使用台数分の電源コードが必要となる。
【０００３】
図８は、従来の輸液用スタンドの使用状態を示す説明図である。図示するように重症患者を対象とする医療においては、１台の輸液用スタンド５１０に多数の輸液ポンプ５８Ａ、５８Ｂ、・・・やシリンジポンプ等を装着して使用するケースが少なくない。一台のスタンドで５台から１０台と多数の点滴機器を使用する場面は日常的であるといえる。また、各ポンプ５８Ａ等には個々別々に電源ライン５７Ａ、５７Ｂ、・・・が必要であるため、設けられる電源ラインの数は自然と多くなる。また、ポンプ５８Ａ等の重量は通常、４脚や５脚のキャスターを備えた脚部５２により支えられている（図８参照）。
【０００４】
さて、かかる輸液用スタンドについては、従来さまざまな技術的提案がなされている。たとえば後掲特許文献１は、輸液ポンプを輸液用スタンドに着脱する際の取り付け作業を簡単にでき、複数の輸液ポンプを容易に固定することができる輸液用スタンドとして、所定の金具と、これに嵌合するスタンド載置台上の孔部、およびこれらを係合させるレバーを備えた構成を開示している。また特許文献２は、移動が容易で場所をとらず、コンパクトに収納できる輸液用スタンドとして、輸液剤、輸液ポンプおよび輸液セットを収納可能な輸液スタンド本体を備えた構成を開示している。
【先行技術文献】
【特許文献】
【０００５】
【特許文献１】特開平１１−１３７６８０号公報「輸液ポンプ及び輸液ポンプ用スタンド」
【特許文献２】特開２００１−１１２８４９号公報「輸液スタンド」
【発明の概要】
【発明が解決しようとする課題】
【０００６】
しかしながらこれら特許文献に開示されている技術も含め、従来の輸液用スタンドには次のような問題があった。
（ａ）図８は、従来の輸液用スタンドの使用状態を示す説明図である。図示するように重症患者を対象とする医療においては、１台の輸液用スタンド５１０に多数の輸液ポンプ５８Ａ、５８Ｂ、・・・やシリンジポンプ等を装着して使用するケースが少なくない。各ポンプ５８Ａ等には個々別々に電源ライン５７Ａ、５７Ｂ、・・・が必要であるため、設けられる電源ラインの数が多くなってしまい、電源コードの複雑な絡み合いも生じ、患者のベッド周辺が煩雑になってしまう。また、電源コードで足の踏み場のない状態にもなる。このことは、医療の効率性の低下のみならず、医療過誤の危険性の増大やラインに身体や物品が引っ掛かったりして、患者から点滴の針が脱ける等の事故の発生や、スタンド５１０が転倒する等の危険性の増大も招く。
【０００７】
（ｂ）前述のように医療現場では、一台の輸液用スタンドで５台から１０台と多数の点滴機器を使用する場面は日常的である。各ポンプ等はそれぞれ相当の重量であるため、スタンドが４脚から５脚のキャスターによって支えられていることとも相俟って、ポンプ等の装着数が多くなるほど輸液用スタンドの安定性が低下し、転倒の危険性が増大する。また、患者が輸液用スタンドを伴って移動する場合、僅かな段差の存在や、障害物・対向歩行者の回避の際、さらにカーブや方向転換の際にも、スタンド転倒の危険性、ひいては患者自身の転倒の危険性も増大する。
【０００８】
そこで本発明が解決しようとする課題は、かかる従来技術の問題点を踏まえ、電源ラインの煩雑さを解消することのできる、輸液用スタンドおよびその支柱構造を提供することである。また本発明の課題は、輸液ポンプ等を複数装着する場合等であっても、安定性を高めることのできる輸液用スタンド等を提供することである。さらに本発明が解決しようとする課題は、輸液ポンプ等を複数装着する場合等であっても、周辺がコードだらけになる事態を有効に防止できる輸液用スタンド等を提供することである。
【課題を解決するための手段】
【０００９】
本願発明者は上記課題について検討した結果、輸液用スタンドに電源コードを複数内蔵させるという着想に基づいて、外観的にもすっきりさせるとともに、課題解決が可能であることに想到し、本発明に至った。すなわち、上記課題を解決するための手段として本願で特許請求される発明、もしくは少なくとも開示される発明は、以下の通りである。
【００１０】
（１）  脚部と、該脚部上に設けられていてこれに複数の輸液装置を装着可能な一または二以上の支柱と、該支柱に設けられていて液体容器保持可能な液体容器保持部とからなる輸液用スタンドであって、該輸液用スタンドには一または二以上の電源供給用支柱が設けられるかまたは連結可能なものとして備えられ、該電源供給用支柱には複数の該輸液装置に対して同時に電源供給可能な多重電源供給構造として、複数の輸液装置接続用端子に分岐された構造を備えた電源コードが設けられており、該電源コードは前記電源供給用支柱内に内蔵されていて、そのうち該複数の輸液装置接続用端子は該電源供給用支柱の外側に露出していてそれぞれ該電源供給用支柱上の異なる箇所から引き出された状態もしくは引き出し可能な状態であることを特徴とする、輸液用スタンド。
【００１１】
（２）  前記複数の分岐された輸液装置接続用端子の態様はプラグであることを特徴とする、（１）に記載の輸液用スタンド。
（３）  前記複数の分岐された輸液装置接続用端子の態様はコンセントであり、二以上の該コンセントの設けられたタップが一または二以上設けられていることを特徴とする、（１）に記載の輸液用スタンド。
（４）  前記支柱および電源供給用支柱は相互に連結されているかまたは連結可能に形成されていることを特徴とする、（１）ないし（３）のいずれかに記載の輸液用スタンド。
（５）  前記輸液装置を複数横方向に並置して装着することの可能な並置台部が設けられていることを特徴とする、（１）ないし（４）のいずれかに記載の輸液用スタンド。
（６）  （１）ないし（５）のいずれかに記載の輸液用スタンドに連結可能で、複数の該輸液装置に対して同時に電源供給可能な多重電源供給構造が設けられている、電源供給用支柱。
【発明の効果】
【００１２】
本発明の輸液用スタンドおよび電源供給用支柱は上述のように構成されるため、これによれば、電源ラインの煩雑さを解消することができる。つまり、一台のスタンドで複数の機器を使用する際においても、電源ラインがきれいに整理される。典型的な本発明実施例でいえば、スタンドの電源供給用支柱に複数の点滴ポンプ機器用の電源ラインが内蔵されているため、複数の点滴ポンプを使用しても電源接続ラインが複雑になることがない。また本発明によれば、輸液ポンプ等を複数装着する場合等であっても、周辺がコードだらけになる事態を有効に防止し、かつ安定性を一層高めることができる。
【００１３】
なお、電源ラインがきれいに整理されることにより、患者・ベッド周辺から不要な電源コードがなくなるため、輸液製剤交換時における過誤の発生や点滴チューブの脱け等の事故発生、さらに重大な医療事故への連鎖の発生の予防にもなる。また、電源ラインがきれいに整理されることは、ラインへの身体・物品の引っ掛かりによる輸液用スタンド転倒事故や、患者がスタンドを伴って移動する際の転倒等の事故予防にもつながる。
【００１４】
また、支柱等を連結可能なこととする本発明輸液用スタンドによれば、輸液ポンプ等を複数装着する場合であっても、設置の安定性を高めることできる。つまり、重症患者など一台のスタンドでたとえば１０台近い機器を使用するような場合であっても、スタンドが不安定になって転倒したり、移動時にスタンドまたは患者自身が転倒することを有効に予防することができる。
【図面の簡単な説明】
【００１５】
【図１】改良発明の前提となった輸液用スタンドの基本構成を示す説明図である。
【図２】改良発明の前提となった輸液用スタンドの第一の実施例を示す説明図である。
【図３】改良発明の前提となった輸液用スタンドの第二の実施例を示す説明図である。
【図４】改良発明の前提となった輸液用スタンドの第三の実施例を示す説明図である。
【図５】電源供給用支柱を備えた本発明（改良発明）輸液用スタンドの要部の基本構成を示す説明図である。
【図６】電源供給用支柱を備えた本発明（改良発明）輸液用スタンドの要部構成例を示す説明図である。
【図７】電源供給用支柱を備えた本発明（改良発明）輸液用スタンドの他の要部構成例を示す説明図である。
【図８】従来の輸液用スタンドの使用状態を示す説明図である。
【発明を実施するための形態】
【００１６】
以下、図面により本発明を詳細に説明する。
まず、電源供給用支柱を構成要素とする輸液用スタンド等を想到する前提となった多重電源供給構造が支柱に備えられた輸液用スタンド発明について詳細に説明する（図１〜４を用いて）。そしてその後で、これに特に改良を加えた発明であるところの電源供給用支柱を構成要素とする輸液用スタンド等について説明する（図５〜７を用いて）。
図１は、本発明輸液用スタンドの基本構成を示す説明図である。図示するように本輸液用スタンド１０は、脚部２と、脚部２上に設けられていてこれに複数の輸液ポンプ等の輸液装置８を装着可能な支柱１と、支柱１に設けられていて液体容器９保持可能な液体容器保持部３とからなり、複数の輸液装置８に対して同時に電源供給可能な多重電源供給構造５が設けられていることを、主たる構成とする。
【００１７】
かかる基本構成により、本輸液用スタンド１０では、支柱１に複数の輸液装置８、８、・・・が装着され、液体容器保持部３に液体容器９が吊り下げ等保持されて使用可能な状態となっている場合において、設けられた単独の多重電源供給構造５から、複数の全輸液装置８、８、・・・に対して同時に電源が供給される。つまり多重電源供給構造５が一つ設けられていることにより、全輸液装置８、８、・・・に対する個々別々の電源供給がなされる必要が無く、したがって個々別々の電源ライン（コード）を接続する必要が無くなり、電源ラインの煩雑さが解消される。
【００１８】
図示するように、また後述するように、多重電源供給構造５は支柱１内部に内臓したものとすることができるが、本発明はかかる構成に限定されるものではない。たとえば、多重電源供給構造を支柱１表面に設けたり、脚部２に設けたりする構成も、本発明からは除外されない。しかしながら、輸液装置８が支柱１の任意の各所に装着されて用いる場合には、支柱１において多重電源供給構造５を設けること、特に支柱１に内蔵する構成とすれば便利である。
【００１９】
図示するように本発明輸液用スタンド１０の多重電源供給構造５は、複数の輸液装置接続用端子６、６、・・・に分岐された構造を備えた電源コードという態様をとる。なお、図中符号４は、多重電源供給構造５の電源側接続端子である。分岐数は特に限定されない。また、多重電源供給構造５上における分岐の位置や、電源コード上での分岐位置における分岐数、さらに分岐された各端子がどのように離間しているかあるいは集合しているかといった分布状態など分岐の態様も、特に限定されない。
【００２０】
図２は、本発明輸液用スタンドの第一の実施例を示す説明図である。図示するように輸液用スタンド２１０の多重電源供給構造２５たる電源コードは、支柱２１内に内蔵されていて、そのうち輸液装置接続用端子２６、２６、・・・は支柱２１の外側に露出した構成とすることができる。かかる構成により、輸液装置２８等は、支柱２１の外側に輸液装置接続用端子２６により容易に接続され、電源供給がなされる。
【００２１】
つまり図示するように、一台の輸液用スタンド２１０に複数に分岐された電源コード（２５）が内蔵され、そこから分岐した輸液装置接続用端子２６が直接輸液装置２８の電源部と接続される。前掲図８に示したように従来は、輸液装置の装着・使用台数分の電源ラインがコンセントに差し込まれる必要があったが、本発明によれば、輸液用スタンド２１０からは電源側接続端子２４を備えた一本の電源コードのみがコンセントに差し込まれるだけでよい。
【００２２】
図２に示すように、複数の分岐された輸液装置接続用端子２６の態様は、輸液装置２８の電源部に接続可能な仕様のプラグとし、それぞれの端子２６が支柱２１上の異なる箇所から引き出された状態で、または引き出し可能な状態で設けるものとすることができる。
【００２３】
だが、本発明の輸液装置接続用端子の構成は、プラグ状の形態に限定されない。
図３は、本発明輸液用スタンドの第二の実施例を示す説明図である。図示するように本例の輸液用スタンド３１０は、複数の分岐された輸液装置接続用端子３６の態様をコンセントとし、二以上のコンセントの設けられたタップ３５が一または二以上、支柱３１など本スタンド３１０上に設けられた構成である。かかる構成により、輸液装置３８は輸液装置接続用の電源コード３７によりタップ３５上の輸液装置接続用端子３６（コンセント）と接続されることで、電源供給を得る。
【００２４】
なおタップの取り付け位置は、図示するように支柱３１上が適しているが、一つのみ設けられるタップが、あるいは二つ以上設けられるうちの一つ以上のタップが、支柱３１以外の位置に設けられる構成であってもよい。たとえば脚部３２を取り付け位置とする構成も、本発明からは除外されない。
【００２５】
図４は、本発明輸液用スタンドの第三の実施例を示す説明図である。図示するように本例の輸液用スタンド４１０は、支柱４１が二以上設けられ、各支柱４１、４１、・・・が連結部材４Ｊによって連結されている構成である。図には支柱４１が二本設けられてなる例を示すが、三本以上であってもよい。
【００２６】
連結部材４Ｊとしては、図示するように二以上の支柱４１間を繋いで固定される棒状部材を用いることができる。連結部４Ｊは、二以上の支柱４１を相互に連結することによって、それぞれに複数装着され得る輸液装置４８の重量による不安定さを軽減するためのものである。したがって、かかる作用効果を奏することができる限り、棒状部材には限定されず、板状部材でも、紐状部材でも、その他の連結手段でもよい。また、連結部材４Ｊを設ける位置や設置数も限定されない。また、図中の連結部材はみな同じ符号４Ｊにて示されているが、連結部材の具体的構造・仕様などに、少なくとも一部の連結部材間において相違がある場合も、本発明の範囲内である。
【００２７】
かかる構成により、輸液用スタンド４１０は安定性が向上する。つまり、多数の点滴機器を同時に使用する場合も、また患者がスタンドを伴って移動する際にも、安定性を保ち安心した状態で使用することができる。なお、輸液用スタンド４１０全体としての安定性を高められる程度に、各支柱４１、４１間の間隔をとった状態で、本スタンドを構成すればよい。また、図中の支柱はみな同じ符号４１にて示されているが、支柱の具体的構造・仕様などに、少なくとも一部の支柱間において相違がある場合も、本発明の範囲内である。
【００２８】
なお、図示しないが、輸液装置を複数台数横方向に並置して装着することのできる並置台部を、支柱に備えた輸液用スタンド、または備え付けることのできる輸液用スタンドとしてもよい。
【００２９】
図５は、電源供給用支柱を備えた本発明輸液用スタンドの要部の基本構成を示す説明図である。図示するように本輸液スタンド１１０は、図示しない脚部と、脚部上に設けられていてこれに複数の輸液装置を装着可能な一または二以上の支柱１１（図では一つのみの例を示す。）と、支柱１１に設けられていて液体容器保持可能な液体容器保持部１３とからなり、かつ、一または二以上の電源供給用支柱１００（図では一つのみの例を示す。）が設けられるか、または連結可能なものとして備えられ、さらに電源供給用支柱１００には複数の輸液装置に対して同時に電源供給可能な多重電源供給構造１５が設けられていることを、主たる構成とする。
【００３０】
図中、多重電源供給構造１５の末端部をなす１６は輸液装置接続用端子、また１Ｊは、支柱１１と電源供給用支柱１００とが連結されるための適宜の連結部材を示す。なお、連結部材１Jは図では棒状の連結構造として示しているが、支柱１１と電源供給用支柱１００とを相互に連結可能であることによって、本輸液スタンド１１０全体の安定性を高めるためのものである。
【００３１】
したがって、かかる作用効果を奏することができる限り、棒状部材には限定されず、板状部材でも、紐状部材でも、その他の連結手段であってもよい。また、連結部材１Ｊを設ける位置や設置数も限定されない。また、図中の連結部材はみな同じ符号１Ｊにて示されているが、連結部材の具体的構造・仕様などに、少なくとも一部の連結部材間において相違がある場合も、本発明の範囲内である。また、連結部材１Ｊによる支柱１１と電源供給用支柱１００との連結状態は、当初から相互に連結された形態であってもよいし、あるいはまた、分離した状態であって事後的に相互に連結可能なよう予め形成されている各支柱１１および１００が、事後的に連結されることによってなされるものであってもよい。
【００３２】
かかる構成により本輸液用スタンド１１０では、輸液ポンプ等の輸液装置用の電源を供給する機能は専ら多重電源供給構造１５を備えた電源供給用支柱１００によって担い、一方、輸液ポンプ等の輸液装置や液体容器の装着は専ら支柱１１によって担う、という分担が可能となる。これによって、複数の点滴装置等を用いる場合であっても、本輸液用スタンド１１０とその周辺にコードが煩雑に存在する状況を防止して、いわばコードレス化することができる。またそれによって、スタンド１１０全体の安定性、安全性もより高めることができる。
【００３３】
また、図示するように、多重電源供給構造１５は電源供給用支柱１００の内部に設けるものとすることもでき、その場合は、輸液用スタンド１１０およびその周辺における煩雑な状況の発生防止効果を一層高めることができる。
【００３４】
さらに、支柱１１と電源供給用支柱１００とが当初から一体となっているか、それとも後者を事後的に装着（連結）可能な構成であるかを問わず、両支柱１１および１００を、連結部材１Ｊ等適宜の連結手段によって連結された状態とすることができるため、輸液用スタンド１１０全体の安定性を一層高めることができる。
【００３５】
なお、一もしくは二以上の支柱または一もしくは二以上の電源供給用支柱の少なくともいずれか一方を、適宜の連結手段や脱着手段によって他方に対して容易に脱着可能なように構成した、いわばセパレートタイプの輸液用スタンドとしてもよい。また、従来既存の輸液用スタンドに対して適宜の連結手段や脱着手段によって容易に脱着可能なように構成された電源供給用支柱自体もまた、本発明の範囲内である。
【００３６】
なおまた、図５では脚部を示していないが、脚部は支柱１１、電源供給用支柱１００のいずれにも設けた構成、いずれか一方に設けた構成のいずれでもよく、脚部の具体的な形態・仕様も、特に輸液用スタンド１１０全体の安定性を考慮して、適宜に設計することができる。
【００３７】
図５に示した電源供給用支柱を備えた本発明輸液用スタンド１１０においても、図１等を用いて上述した輸液用スタンド１０等と同様、下記＜Ａ＞〜＜Ｅ＞のいずれかの特徴を備えた構成とすることができる。
＜Ａ＞多重電源供給構造１５を、複数の輸液装置接続用端子１６に分岐された構造を備えた電源コードとすること。
＜Ｂ＞電源コードは電源供給用支柱１００内に内蔵されていて、そのうち輸液装置接続用端子は電源供給用支柱１００の外側に露出していること。
【００３８】
＜Ｃ＞複数の分岐された輸液装置接続用端子の態様はプラグであり、それぞれ電源供給用支柱１００上から引き出された状態で、または引き出し可能な状態であること。
＜Ｄ＞複数の分岐された輸液装置接続用端子の態様はコンセントであり、二以上のコンセントの設けられたタップが一または二以上設けられていること。
＜Ｅ＞輸液装置を複数横方向に並置して装着することの可能な並置台部が設けられていること。
【００３９】
図６は、電源供給用支柱を備えた本発明輸液用スタンドの要部構成例を示す説明図である。図示するように、支柱６１と電源供給用支柱６００とが適宜の連結部材６Ｊによって脱着可能に連結されることで、たとえ複数の点滴装置を用いた場合であっても、輸液用スタンド６１０の周辺がコードだらけになってしまうことを有効に防止できる。さらに、２本の支柱６１、６００が連結されることによって、輸液用スタンド６１０全体の安定性も増す。また、図６では脚部を示していないが、脚部は支柱６１、電源供給用支柱６００のいずれにも設けた構成、いずれか一方に設けた構成のいずれでもよく、脚部の具体的な形態・仕様も、特に輸液用スタンド６１０全体の安定性を考慮して、適宜に設計することができる。
【００４０】
また、電源供給用支柱６００を、ワンタッチでの連結が可能なアタッチメントを用いる等することにより従来既存の輸液用スタンドに脱着可能なものとして構成することも、もちろん可能である。この場合は、既存の輸液用スタンドをそのまま利用することができ、経済的かつ便利である。またこの場合は、電源供給用支柱６００に、これを取り付けた後の輸液用スタンド全体の安定性向上に寄与できる仕様・形態の脚部を設ける構成とすることが望ましい。
【００４１】
図７は、電源供給用支柱を備えた本発明輸液用スタンドの他の要部構成例を示す説明図である。図示した本輸液用スタンド７１０のように、支柱７１は２本あるいはそれ以上であってもよい。図の例のように支柱７１が２本、電源供給用支柱７００が１本、計３本の支柱が相互に連結された構造とすると、輸液用スタンド７１０全体の安定性を一層向上させることができる。本例においても、スタンドおよびその周囲におけるコードレス化効果は発揮される。なお、支柱７１や電源供給用支柱７００の数や脚部の構造等は、図示したものに限定されない。
【産業上の利用可能性】
【００４２】
本発明の輸液用スタンドおよび電源供給用支柱によれば、電源ラインの煩雑さを解消し、また安定性を増すことができ、転倒等の事故発生を有効に防止することができる。つまり、電源コードの簡素化により、加えて輸液用スタンドの安定性の高い構造により、医療事故の有効な防止につながるものでもある。したがって、病院・診療所だけでなく在宅も含め、特に医療産業分野、介護福祉産業分野において産業上利用性が高い発明である。
【符号の説明】
【００４３】
１、２１、３１、４１…支柱
２、２２、３２、４２…脚部
３、２３、３３、４３…液体容器保持部
４、２４、３４…電源側接続端子
５、２５、３５…多重電源供給構造
６、２６、３６、４６…輸液装置接続用端子
８、２８、３８、４８…輸液装置
３５…タップ
３７…輸液装置接続用の電源コード
９…液体容器
１０、２１０、３１０、４１０…輸液用スタンド
４Ｊ…連結部材
５１…支柱
５２…脚部
５３…液体容器保持部
５７Ａ、５７Ｂ、５７Ｃ、５７Ｄ、５７Ｅ、５７Ｆ…電源ライン
５８Ａ、５８Ｂ、５８Ｃ、５８Ｄ、５８Ｅ、５８Ｆ…輸液ポンプ等
５１０…輸液用スタンド
５５０…電源タップ
【００４４】
１１、６１、７１…支柱
６０、７０…端子用孔部
７２…脚部
１３、６３…液体容器保持部
１５…多重電源供給構造
１６、７６…輸液装置接続用端子
７８Ａ、７８Ｂ、７８Ｃ…輸液装置
１００、６００、７００…電源供給用支柱
１１０、６１０、７１０…輸液用スタンド
１Ｊ、６Ｊ、７Ｊ…連結部材
【図１】
0005324541.tif 000002
【図２】
0005324541.tif 000003
【図３】
0005324541.tif 000004
【図４】
0005324541.tif 000005
【図５】
0005324541.tif 000006
【図６】
0005324541.tif 000007
【図７】
0005324541.tif 000008
【図８】
0005324541.tif 000009